(57)【要約】【課題】インバータ回路を搭載するヒートポンプユニットにおいて、リアクターの放熱性を向上させて、リアクター周辺の電子部品の温度上昇、及びリアクターでの損失増加を防止する。【解決手段】リアクター２０と放熱用熱交換器１３を熱伝導性の良い接続部品２３により接続する。結果、放熱用熱交換器１３の冷却作用により、リアクター２０の放熱性を向上させ、リアクター周辺の電子部品の温度上昇、及びリアクターでの損失増加を防止することができる。【選択図】図１
2010236756.tif 000002
【特許請求の範囲】
【請求項１】
圧縮機、給湯用熱交換器、減圧装置、放熱用熱交換器を冷媒配管により環状に接続して構成されたヒートポンプ回路と、前記放熱用熱交換器に送風する送風機と、前記圧縮機、及び前記送風機を制御する制御回路基板と、この制御回路基板に接続されたリアクターを有するヒートポンプ給湯器のヒートポンプユニットにおいて、前記リアクターと前記放熱用熱交換器を熱伝導性の良い接続部品により接続したことを特徴とするヒートポンプ給湯器のヒートポンプユニット。
【請求項２】
金属板によりリアクターと放熱用熱交換器を接続したことを特徴とした請求項１に記載のヒートポンプ給湯器のヒートポンプユニット。
【請求項３】
被覆付きの導線によりリアクターと放熱用熱交換器を接続したことを特徴とした請求項１に記載のヒートポンプ給湯器のヒートポンプユニット。
【発明の詳細な説明】
【技術分野】
【０００１】
本発明はヒートポンプ給湯器のヒートポンプユニットに関するもので、例えばインバータ回路を搭載するヒートポンプユニットのリアクターの冷却方法に関するものである。
【背景技術】
【０００２】
図５に従来技術におけるヒートポンプ給湯器のヒートポンプユニットの構成図を示す。（例えば特許文献１参照。本文献は空気調和機に関するものであるが、構成が同一となるヒートポンプ給湯器に適用できる）。図５は、ヒートポンプユニット底板１１に立設された垂直な金属製仕切り板１２で放熱用熱交換器１３や送風機１４の設置されている送風機室１５と圧縮機１６等の電気部品が設置されている圧縮機室１７とを区画し、仕切り板１２の上端に制御回路基板１８等を内部に固定した電装品ボックス１９を送風機室１５側と圧縮機室１７側とに跨って設置している。この電装品ボックス１９の送風機室１５側には圧縮機１６への大電流を流し高温に発熱するパワートランジスタ等の放熱板を電装品ボックス１９に開口部を設けて送風機室１５側に臨ませたものが一般的に知られている。圧縮機室１７側の下部には圧縮機１６が設置され、この圧縮機１６と電装品ボックス１９の中間あたりで仕切り板１２に圧縮機室１７側からリアクター２０を固定することも一般的に知られている。電装品ボックス１９とリアクター２０は圧縮機室１７側で導線２１により接続されている。
【特許文献１】特開２０００−１０４９５０号公報
【発明の開示】
【発明が解決しようとする課題】
【０００３】
しかしながら、前記従来の構成では、次のような課題がある。リアクターに大電流が流れ続けた場合、リアクターの温度が上昇して、リアクター周辺の機器、特に電装品ボックス内部の電子部品を輻射熱によってあぶり、雰囲気温度を上昇させるため、電子部品の寿命を短くすることがあるという課題を有していた。また、リアクターの温度が上昇すると銅線の温度特性により直流抵抗が大きくなり、リアクターでの損失が増加するため、ヒートポンプ給湯器の電力消費効率を悪化させるという課題もあった。
【０００４】
本発明は、前記従来の課題を解決するもので、リアクターの放熱性を向上させ、リアクター周辺の電子部品の温度上昇、及びリアクターでの損失増加を防止したヒートポンプ給湯器のヒートポンプユニットを提供することを目的とする。
【課題を解決するための手段】
【０００５】
前記従来の課題を解決するために、本発明のヒートポンプ給湯器のヒートポンプユニットは、リアクターと放熱用熱交換器を熱伝導性の良い接続部品により接続したものである。これによって、ヒートポンプ給湯器の沸き上げ運転中、常に外気温度より低温になっている放熱用熱交換器の冷却作用により、リアクターの放熱性を向上させることができるため、リアクター周辺の電子部品の温度上昇、及びリアクターでの損失増加を防止することができる。
【発明の効果】
【０００６】
本発明のヒートポンプ給湯器のヒートポンプユニットは、リアクターの放熱性を向上させて、リアクター周辺の電子部品の温度上昇を防止し、電子部品を長寿命化させることができる。また同時にリアクターでの損失増加を防止し、ヒートポンプ給湯器の電力消費効率を向上させることができる。
【発明を実施するための最良の形態】
【０００７】
第一の発明は、圧縮機、給湯用熱交換器、減圧装置、放熱用熱交換器を冷媒配管により環状に接続して構成されたヒートポンプ回路と、前記放熱用熱交換器に送風する送風機と、前記圧縮機、及び前記送風機を制御する制御回路基板と、この制御回路基板に接続されたリアクターを有するヒートポンプ給湯器のヒートポンプユニットにおいて、リアクターと放熱用熱交換器を熱伝導性の良い接続部品により接続した。このことにより、リアクターの放熱性を向上させることができるため、周辺の電子部品の温度上昇、及びリアクターでの損失増加を防止することが可能となる。
【０００８】
第二の発明は、特に、第一の発明のうち、金属板によりリアクターと放熱用熱交換器を接続した。このことにより、リアクターは、ヒートポンプ給湯器の沸き上げ運転中、外気温度より低温になっている放熱用熱交換器に冷却されるため、リアクターの放熱性を向上させることができる。
【０００９】
第三の発明は、特に、第一の発明のうち、被覆付きの導線によりリアクターと放熱用熱交換器を接続した。このことにより、リアクターは、ヒートポンプ給湯器の沸き上げ運転中、外気温度より低温になっている放熱用熱交換器に金属板を介して冷却されるため、リアクターの放熱性を向上させることができる。
【００１０】
（実施の形態１）
以下、本発明の実施の形態１におけるヒートポンプ給湯器のヒートポンプユニットの構成について図面を用いて説明する。図１に本発明の実施の形態１おけるヒートポンプ給湯器のヒートポンプユニットの構成図を示す。図１は、ヒートポンプユニット底板１１に立設された垂直な金属製仕切り板１２で放熱用熱交換器１３や送風機１４の設置されている送風機室１５と圧縮機１６等の電気部品が設置されている圧縮機室１７とを区画し、仕切り板１２の上端に制御回路基板１８等を内部に固定した電装品ボックス１９を送風機室１５側と圧縮機室１７側とに跨って設置している。圧縮機１６と電装品ボックス１９の中間あたりで仕切り板１２に圧縮機室１７側からリアクター２０を固定し、電装品ボックス１９とリアクター２０は圧縮機室１７側で導線２１により接続されている。このリアクター２０が固定されている近傍で仕切り板１２に開口部２２を設けて、開口部２２を通した熱伝導性の良い接続部品２３によりリアクター２０と放熱用熱交換器１３を接続している。開口部２２は、送風機室１５から圧縮機室１７に風雨が侵入しないよう、また、接続部品２３の熱伝導が仕切り板１２により影響を受けないようシリコンなどの樹脂材料２４で完全に覆われている。結果、放熱用熱交換器１３の冷却作用によりリアクター２０が強制冷却されるため、リアクター２０の放熱性を向上させることができる。
【００１１】
（実施の形態２）
図２〜図３は、本発明の実施の形態２おけるヒートポンプ給湯器のヒートポンプユニットの構成図、および本発明の実施の形態２おけるリアクターの取り付け構造図を示したものである。図２は、実施の形態１の図１に示した接続部品２３を金属板２５としたものである。図３は、リアクター２０を圧縮機室１７側から観察した図である。仕切り板１２の開口部２２を貫通させた金属板２５でリアクター２０の外郭を覆うことによりリアクター２０を効率的に冷却することができる。
【００１２】
（実施の形態３）
図４は、本発明の実施の形態３おけるヒートポンプ給湯器のヒートポンプユニットの構成図を示したものである。図４は、実施の形態１の図１に示した接続部品２３を被覆付きの導線２６としたものである。結果、被覆付きの導線２６をヒートポンプユニット内部で屈曲させて引き廻すことができるため、ヒートポンプユニットの構造上、大きな制約を受けずにリアクター２０の放熱性を向上させることが可能となる。
【産業上の利用可能性】
【００１３】
以上のように、本発明にかかるヒートポンプ給湯器のヒートポンプユニットは、リアクターの放熱性を向上させて、リアクター周辺の電子部品の温度上昇、及びリアクターでの損失増加を防止することができるため、ヒートポンプ給湯器のヒートポンプユニットと同様の構成を持つ空気調和機への利用として有用である。
【図面の簡単な説明】
【００１４】
【図１】本発明の実施の形態１おけるヒートポンプ給湯器のヒートポンプユニットの構成図
【図２】本発明の実施の形態２おけるヒートポンプ給湯器のヒートポンプユニットの構成図
【図３】本発明の実施の形態２おけるリアクターの取り付け構造図
【図４】本発明の実施の形態３おけるヒートポンプ給湯器のヒートポンプユニットの構成図
【図５】従来技術におけるヒートポンプ給湯器のヒートポンプユニットの構成図
【符号の説明】
【００１５】
１１  ヒートポンプユニット底板
１２  仕切り板
１３  放熱用熱交換器
１４  送風機
１５  送風機室
１６  圧縮機
１７  圧縮機室
１８  制御回路基板
１９  電装品ボックス
２０  リアクター
２１  導線
２２  開口部
２３  接続部品
２４  樹脂材料
２５  金属板
２６  被覆付きの導線
【図１】
2010236756.tif 000003
【図２】
2010236756.tif 000004
【図３】
2010236756.tif 000005
【図４】
2010236756.tif 000006
【図５】
2010236756.tif 000007